(57)【要約】【課題】  ロック可能な排紙トレイを複数備えることにより、利用者は出力タイミングを気にせず自分がいない店舗などの印刷装置に出力しても、印刷物の機密性を保持できる印刷システムを提供する。【解決手段】  携帯情報端末装置から中継情報処理装置経由で当地域に設置された印刷装置へ印刷データを送信し印刷する印刷システムにおいて、前記印刷装置内に、印刷済用紙を蓄積する複数の排紙トレイ１１、印刷済用紙を排出すべき排紙トレイを決定する排紙トレイ決定部１５、決定された排紙トレイを示すトレイ番号に対応した暗証番号を生成する暗証番号割付部１６、その暗証番号を中継情報処理装置経由で携帯情報端末装置へ送信する送信部１８、印刷物を取出し時に暗証番号を入力させる暗証番号入力部１９、入力された暗証番号と送信した暗証番号とを照合し、照合に成功したときに暗証番号から排紙トレイを特定し、特定した排紙トレイの取出口を開放させる取出口制御部２０を備えた。【選択図】  図２
2006035531.tif 000002
【特許請求の範囲】
【請求項１】
携帯情報端末装置から中継情報処理装置へ印刷要求と印刷データを送信し、前記中継情報処理装置が、その印刷要求に応じて、当該地域に設置されている印刷装置へネットワークを介して印刷要求と印刷データを送信し、前記印刷装置が前記印刷データの印刷を行う印刷システムにおいて、
前記印刷装置内に、前記ネットワークを介して受信した印刷データが印刷された印刷済用紙を蓄積する複数の排紙トレイと、
前記印刷済用紙を排出すべき排紙トレイを決定するトレイ決定手段と、
該トレイ決定手段により決定された排紙トレイを示すトレイ識別情報に対応した暗証情報を生成する暗証情報生成手段と、
該暗証情報生成手段によって生成された前記暗証情報を前記中継情報処理装置経由で前記携帯情報端末装置へ送信する送信手段と、
前記暗証情報を入力させる暗証情報入力手段と、その暗証情報入力手段により入力された暗証情報と前記送信手段により送信された暗証情報とを照合する照合手段と、
該照合手段による照合に成功したときに前記暗証情報から前記排紙トレイを特定し、特定した排紙トレイの取出口を開放させる取出口開放手段と、
を備えたことを特徴とする印刷システム。
【請求項２】
請求項１記載の印刷システムにおいて、前記印刷装置内に、時計手段から取得した時刻と、前記中継情報処理装置から受信した印刷データのデータ量とを基に印刷完了予定時刻を算出する時刻算出手段を備え、算出されたその印刷完了予定時刻を前記送信手段が前記中継情報処理装置を介して前記携帯情報端末装置へ送信することを特徴とする印刷システム。
【請求項３】
請求項２記載の印刷システムにおいて、前記印刷装置内に、前記印刷データに対応づけて前記暗証情報と前記印刷完了予定時刻を記憶する記憶手段を備えたことを特徴とする印刷システム。
【請求項４】
請求項３記載の印刷システムにおいて、前記印刷装置は、前記印刷完了予定時刻と印刷完了時刻とを比較する比較手段を備え、当該印刷データの印刷が完了したとき、前記比較手段により遅いと判定した時刻を印刷物保管開始時刻とすることを特徴とする印刷システム。
【請求項５】
請求項４記載の印刷システムにおいて、前記印刷装置は、前記印刷物保管開始時刻から前記排紙トレイの取出口が開放された時刻までの時間を排紙トレイ占有時間とすることを特徴とする印刷システム。
【請求項６】
請求項４または請求項５記載の印刷システムにおいて、前記印刷装置内に、前記印刷物保管開始時刻から前記排紙トレイの取出口が開放された時刻までの時間を排紙トレイ占有時間として排紙トレイ占有料金を算出する料金算出手段を備えたことを特徴とする印刷システム。
【請求項７】
請求項６記載の印刷システムにおいて、前記料金算出手段は前記印刷物保管開始時刻から前記照合手段による照合成功確認時までの時間を排紙トレイ占有時間として排紙トレイ占有料金を算出し、前記取出口開放手段は、その排紙トレイ占有料金が支払われたことを条件として当該排紙トレイの取出口を開放することを特徴とする印刷システム。
【請求項８】
携帯情報端末装置から中継情報処理装置へ印刷要求と印刷データを送信し、前記中継情報処理装置が、その印刷要求に応じて、当該地域に設置されている印刷装置へネットワークを介して印刷要求と印刷データを送信し、前記印刷装置が前記印刷データの印刷を行う印刷方法において、前記印刷装置では、前記印刷要求および印刷データを受信すると、複数の排紙トレイのなから当該印刷済用紙を排出すべき排紙トレイを決定し、決定された排紙トレイを示すトレイ識別情報に対応した暗証情報を生成し、生成されたその暗証情報を前記中継情報処理装置経由で前記携帯情報端末装置へ送信し、その後、暗証情報が入力されると、入力された暗証情報と記憶されている送信された暗証情報とを照合し、その照合に成功したときにその暗証情報から前記排紙トレイを特定し、特定した排紙トレイの取出口を開放させることを特徴とする印刷方法。
【請求項９】
請求項８記載の印刷方法において、前記印刷装置では、前記中継情報処理装置から受信した印刷データのデータ量とそのときの時刻とから印刷完了予定時刻を算出し、算出したその印刷完了予定時刻を前記中継情報処理装置経由で前記携帯情報端末装置へ送信することを特徴とする印刷方法。
【発明の詳細な説明】
【技術分野】
【０００１】
本発明は、外出先において携帯情報端末装置から最寄りの印刷装置を利用して印刷する場合でも機密性を保持しつつ印刷を行わせることができる印刷システムおよび印刷方法に関する。
【背景技術】
【０００２】
近年、半導体技術、情報処理技術、および通信技術などの進歩により、小型で高性能・高機能の携帯情報端末装置が普及し、そのような携帯情報端末装置から印刷データを送信し、最寄りの店舗などに設置されている印刷装置でその印刷データの印刷を行うことが可能になった。しかしながら、このような印刷においては、本人がその印刷装置の設置場所に到着しない前に印刷物が出力されてしまうので、機密上問題があったし、紛失の恐れもあった。
特許文献１に示された従来技術はそのような問題を解決しようとするものであり、複数の出力装置（印刷装置）の設置場所情報および機能情報を格納するための格納手段（例えば、プリントサービスサーバーにおける店舗テーブル）と、携帯型端末装置からネットワークを介して入力された画像データ、および携帯型端末装置の現在位置情報に基づいて、格納手段に格納された設置場所情報および機能情報を用いて、当該画像データの出力が可能な最寄りの出力装置の候補を選択するための出力装置候補選択手段とを備え、その出力装置候補選択手段により選択された出力装置候補のなかから利用者が指定した出力装置に対して画像データを転送するとともに、この際、プリントサービスサーバーが印刷データの受付番号を設定して、出力装置に正しい受付番号が入力された時点で印刷処理を開始することにより機密性保持を図っている。
また、特許文献２に示された従来技術では、携帯情報端末装置が印刷データに暗証コードと携帯情報端末装置の固有の情報を付加して印刷装置に送信すると、印刷装置は印刷データとともに暗証コードと固有の情報を記憶する。その後、利用者が暗証コードと固有の情報を印刷装置へ送信し、その暗証コードおよび固有の情報が印刷装置に入力されると、印刷装置はその時点で対応する印刷を開始することにより機密性を保持する。
【特許文献１】特開２００１−３２６７８４公報
【特許文献２】特開２００２−２３６５７２公報
【発明の開示】
【発明が解決しようとする課題】
【０００３】
しかしながら、前記特許文献１に示された従来技術では受付番号を入力するタイミングが難しい。早く入力し過ぎると、本人がその印刷装置の設置場所に到着しない前に印刷物が出力されてしまって機密保持ができないし、設置場所に到着した後に受付番号を入力したのでは印刷完了までの待ち時間が長くなってしまうのである。特許文献２に示された従来技術も、受付番号が暗証コードなどに代わっただけで、特許文献１に示された従来技術と同様の問題がある。
本発明の目的は、このような従来技術の問題を解決しようとするものであり、具体的には、ロック可能な排紙トレイを複数備えることにより、利用者は従来技術のように出力させるタイミングを気にする必要がなく、印刷完了まで待たされることもなく印刷物の機密性を保持することができる印刷システムを提供することにある。
また、本発明では、印刷データのデータ量に基づき印刷完了予定時刻を算出し、利用者に通知することで、利用者は印刷完了までの待ち時間を有効に活用できるし、排紙トレイが無駄に占有されてしまうことを防ぐ。また、印刷完了時刻と印刷完了予定時刻で遅いほうの時刻を基準にして、印刷物が入った排紙トレイを開くまでの時間を排紙トレイ占有時間として算出し、その占有時間を基に排紙トレイ占有料金を正当に課金することにより開閉可能な排紙トレイが無駄に占有されてしまうことを防ぐ。
【課題を解決するための手段】
【０００４】
前記した課題を解決するために、請求項１記載の発明では、携帯情報端末装置から中継情報処理装置へ印刷要求と印刷データを送信し、前記中継情報処理装置が、その印刷要求に応じて、当該地域に設置されている印刷装置へネットワークを介して印刷要求と印刷データを送信し、前記印刷装置が前記印刷データの印刷を行う印刷システムにおいて、前記印刷装置内に、前記ネットワークを介して受信した印刷データが印刷された印刷済用紙を蓄積する複数の排紙トレイと、前記印刷済用紙を排出すべき排紙トレイを決定するトレイ決定手段と、該トレイ決定手段により決定された排紙トレイを示すトレイ識別情報に対応した暗証情報を生成する暗証情報生成手段と、該暗証情報生成手段によって生成された前記暗証情報を前記中継情報処理装置経由で前記携帯情報端末装置へ送信する送信手段と、前記暗証情報を入力させる暗証情報入力手段と、該暗証情報入力手段により入力された暗証情報と前記送信手段により送信された暗証情報とを照合する照合手段と、その照合手段による照合に成功したときに前記暗証情報から前記排紙トレイを特定し、特定した排紙トレイの取出口を開放させる取出口開放手段と、を備えた。
また、請求項２記載の発明では、請求項１記載の発明において、前記印刷装置内に、時計手段から取得した時刻と、前記中継情報処理装置から受信した印刷データのデータ量とを基に印刷完了予定時刻を算出する時刻算出手段を備え、算出されたその印刷完了予定時刻を前記送信手段が前記中継情報処理装置を介して前記携帯情報端末装置へ送信する構成にした。
また、請求項３記載の発明では、請求項２記載の発明において、前記印刷装置内に、前記印刷データに対応づけて前記暗証情報と前記印刷完了予定時刻を記憶する記憶手段を備えた。
また、請求項４記載の発明では、請求項３記載の発明において、前記印刷装置は、前記印刷完了予定時刻と印刷完了時刻とを比較する比較手段を備え、当該印刷データの印刷が完了したとき、前記比較手段により遅いと判定した時刻を印刷物保管開始時刻とする構成にした。
また、請求項５記載の発明では、請求項４記載の発明において、前記印刷装置は、前記印刷物保管開始時刻から前記排紙トレイの取出口が開放された時刻までの時間を排紙トレイ占有時間とする構成にした。
また、請求項６記載の発明では、請求項４または請求項５記載の発明において、前記印刷装置内に、前記印刷物保管開始時刻から前記排紙トレイの取出口が開放された時刻までの時間を排紙トレイ占有時間として排紙トレイ占有料金を算出する料金算出手段を備えた。
【０００５】
また、請求項７記載の発明では、請求項６記載の発明において、前記料金算出手段は前記印刷物保管開始時刻から前記照合手段による照合成功確認時までの時間を排紙トレイ占有時間として排紙トレイ占有料金を算出し、前記取出口開放手段は、その排紙トレイ占有料金が支払われたことを条件として当該排紙トレイの取出口を開放する構成にした。
また、請求項８記載の発明では、携帯情報端末装置から中継情報処理装置へ印刷要求と印刷データを送信し、前記中継情報処理装置が、その印刷要求に応じて、当該地域に設置されている印刷装置へネットワークを介して印刷要求と印刷データを送信し、前記印刷装置が前記印刷データの印刷を行う印刷方法において、前記印刷装置では、前記印刷要求および印刷データを受信すると、複数の排紙トレイのなから当該印刷済用紙を排出すべき排紙トレイを決定し、決定された排紙トレイを示すトレイ識別情報に対応した暗証情報を生成し、生成されたその暗証情報を前記中継情報処理装置経由で前記携帯情報端末装置へ送信し、その後、暗証情報が入力されると、入力された暗証情報と記憶されている送信された暗証情報とを照合し、その照合に成功したときにその暗証情報から前記排紙トレイを特定し、特定した排紙トレイの取出口を開放させる構成にした。
また、請求項９記載の発明では、請求項８記載の発明において、前記印刷装置では、前記中継情報処理装置から受信した印刷データのデータ量とそのときの時刻とから印刷完了予定時刻を算出し、算出したその印刷完了予定時刻を前記中継情報処理装置経由で前記携帯情報端末装置へ送信する構成にした。
【発明の効果】
【０００６】
本発明によれば、請求項１および請求項８記載の発明では、携帯情報端末装置から中継情報処理装置へ印刷要求と印刷データを送信し、その中継情報処理装置が、その印刷要求に応じて、当該地域に設置されている印刷装置へネットワークを介して印刷要求と印刷データを送信し、その印刷装置がその印刷データの印刷を行う際、印刷装置では、受信した印刷データが印刷された印刷済用紙を排出すべき排紙トレイを決定し、決定された排紙トレイを示すトレイ識別情報に対応した暗証情報を生成し、生成された暗証情報を中継情報処理装置経由で携帯情報端末装置へ送信し、その後、暗証情報が入力されると、その暗証情報と送信された暗証情報とを照合し、その照合に成功したとき、暗証情報から排紙トレイを特定し、特定した排紙トレイの取出口を開放させることができるので、利用者は従来技術のように出力させるタイミングを気にする必要がなく、また印刷完了まで待たされることもなく印刷物の機密性を保持することができる。
また、請求項２記載の発明では請求項１記載の発明において、請求項９記載の発明では請求項８記載の発明において、中継情報処理装置から受信した印刷データのデータ量と受信したときの時刻とから印刷完了予定時刻を算出し、算出されたその印刷完了予定時刻を中継情報処理装置経由で携帯情報端末装置へ送信できるので、利用者は印刷完了までの待ち時間を有効に活用できるし、排紙トレイが無駄に占有されてしまうことを防ぐことができる。
また、請求項３記載の発明では、請求項２記載の発明において、印刷装置内に、印刷データに対応づけて暗証情報と印刷完了予定時刻を記憶できるので、後で暗証情報の照合を行うことができるし、印刷完了予定時刻を用いた排紙トレイ占有料金の算出などが可能になる。
また、請求項４記載の発明では、請求項３記載の発明において、印刷装置では、印刷完了予定時刻と印刷完了時刻とを比較し、遅いと判定されたほうの時刻を印刷物保管開始時刻とするので、そのような印刷物保管開始時刻から当該排紙トレイを開くまでの時間を排紙トレイ占有時間として排紙トレイ占有料金を算出することが可能となる。
【０００７】
また、請求項５記載の発明では、請求項４記載の発明において、印刷装置では、前記印刷物保管開始時刻から排紙トレイの取出口が開放された時刻までの時間を排紙トレイ占有時間とするので、そのような排紙トレイ占有時間に対して排紙トレイ占有料金を算出でき、したがって、通知された印刷完了予定時刻よりも早く印刷が完了する一方、利用者が通知された印刷完了予定時刻に合わせて当該印刷装置の設置場所にやってきて実際の排紙トレイ占有時間が長くなった場合でも、利用者に不満のない排紙トレイ占有料金を課すことが可能になる。
また、請求項６記載の発明では、請求項４または請求項５記載の発明において、印刷装置内に、前記印刷物保管開始時刻から前記排紙トレイの取出口が開放された時刻までの時間を排紙トレイ占有時間として排紙トレイ占有料金を算出するので、通知された印刷完了予定時刻よりも早く印刷が完了する一方、利用者が通知された印刷完了予定時刻に合わせて当該印刷装置の設置場所にやってきて実際の排紙トレイ占有時間が長くなった場合でも、利用者に不満のない排紙トレイ占有料金を課すことができる。
また、請求項７記載の発明では、請求項６記載の発明において、印刷物保管開始時刻から照合成功確認時までの時間を排紙トレイ占有時間として排紙トレイ占有料金を算出し、その排紙トレイ占有料金が支払われたことを条件として当該排紙トレイの取出口を開放することができるので、排紙トレイ占有料金が確実に支払われる。
【発明を実施するための最良の形態】
【０００８】
以下、図面により本発明の実施形態を詳細に説明する。但し、この実施形態に記載される構成要素、種類、組み合わせ、形状、その相対位置などは特定的な記載がない限り、この説明の範囲をそれのみに限定する主旨ではなく、単なる説明例に過ぎない。
図１は、本発明の実施の形態に係る印刷システムの構成図である。図示したように、この印刷システムは、ネットワークに互いに通信可能に接続された、携帯パーソナルコンピュータやＰＤＡや携帯電話機など携帯情報端末装置１、中継情報処理装置２、店舗内などに設置された印刷装置３から成る。なお、印刷装置３は開閉可能な（ロック可能な）取出口を持つ複数の排紙トレイ、およびその排紙トレイに出力する印刷済用紙をソーティングするソート手段を備える。
図２は本実施の形態に係る印刷装置３の構成を示したブロック図である。
図示するように、この印刷装置３は、印刷済用紙を蓄積する複数の排紙トレイ１１、中継情報処理装置２からの印刷要求および印刷データを受信する印刷要求受信部１２、その印刷データを印刷イメージのデータに展開するデータ作成部１３、展開されたデータを用いて印刷を行う印刷処理部１４、印刷済用紙を排出すべき排紙トレイを決定するトレイ決定部１５、トレイ決定部１５により決定された排紙トレイを示すトレイ識別情報に対応した暗証番号（暗証情報）を生成して割り付ける暗証番号割り付け部１６、その暗証番号などを印刷データに対応づけて記憶しておく暗証番号記憶部１７、前記暗証番号などを中継情報処理装置２経由で携帯情報端末装置１へ送信する送信部１８、暗証番号を入力させる暗証番号入力部１９、入力された暗証番号が暗証番号記憶部１７に記憶しておいた暗証番号と照合できたときに対応する排紙トレイの取出口を開放させる取出口制御部２０、排紙トレイ占有料金などを算出する課金処理部２１、およびそのとき現在の年月日時分秒を出力する時計回路２２を備える。
なお、本実施の形態では、請求項１〜９記載の時刻算出手段がデータ作成部１３により実現され、トレイ決定手段がトレイ決定部１５により実現され、暗証情報生成手段が暗証番号割り付け部１６により実現され、記憶手段が暗証番号記憶部１７により実現され、送信手段が送信部１８により実現され、暗証情報入力手段が暗証番号入力部１９により実現され、照合手段および取出口開放手段が取出口制御部２０により実現され、比較手段および料金算出手段が課金処理部２１により実現され、時計手段が時計回路２２により実現される。また、図２に、符号１２〜符号１６、符号１８、符号２０、符号２１で示した各部はプログラムを記憶した各部共有または各部独自のメモリや、そのプログラムに従って動作する各部共有または各部独自のＣＰＵなどを用いて実現される。
【０００９】
以下、図３〜図５に示した動作フローに従って本実施の形態の動作を説明する。
図３は印刷装置３における印刷要求受信時の動作フローである。
まず、利用者が携帯情報端末装置１から印刷要求を行い、中継情報処理装置経由で印刷装置３へ印刷要求と印刷データを送信する。これにより、印刷装置３内の印刷要求受信部１２が印刷要求と印刷データを受信すると（Ｓ１）、トレイ決定部１５が、その印刷データを印刷した印刷済用紙を排紙する排紙トレイを決定する（Ｓ２）。複数の排紙トレイ１１のうち、空いている１つを割り当てるのである。
続いて、暗証番号割り付け部１６が決定された排紙トレイを示すトレイ番号（トレイ識別情報）に対応した暗証番号（暗証情報）を生成する（Ｓ３）。例えば乱数を発生させ、その値を当該暗証番号とするのである。なお、発生した値が暗証番号記憶部１７で既に記憶されている場合には生成し直す。こうして、暗証番号割り付け部１６は生成した暗証番号を当該トレイ番号や当該印刷要求（または印刷データ）に対応づけて暗証番号記憶部１７に記憶する。
次に、当該印刷データのデータ量と、時計回路２２から取得したそのときの時刻とを基にデータ作成部１３が印刷完了予定時刻を算出し（Ｓ４）、暗証番号割り付け部１６はその印刷完了予定時刻を記憶済みの当該暗証番号に対応づけて暗証番号記憶部１７に記憶する（Ｓ５）。そして、その暗証番号とトレイ番号と印刷完了予定時刻を送信部１８に渡し、送信部１８はその暗証番号とトレイ番号と印刷完了予定時刻を中継情報処理装置２経由で当該携帯情報端末装置１へ送信する（Ｓ６）。このように印刷完了予定時刻を利用者に通知することで、利用者は印刷完了までの待ち時間を有効に活用できるし、排紙トレイの無駄な占有を防ぐことができる。
一方、印刷装置内のデータ作成部１３は印刷データを展開し、印刷処理部１４が展開されたデータを用いて印刷を行う。そして、印刷が完了すると、印刷処理部１４は印刷済用紙を決定されている排紙トレイに排紙させる。また、印刷処理部１４は印刷完了時刻を当該暗証番号およびトレイ番号と対応づけて暗証番号記憶部１７に記憶する。また、送信部１８により、印刷完了メッセージを中継情報処理装置経由で携帯情報端末装置１へ送信する。なお、暗証番号とトレイ番号をこのときに送信してもよい。
【００１０】
図４は印刷済用紙（印刷物）取り出し時の動作フローである。
このときはまず、利用者に暗証番号入力部１９により暗証番号を入力させる（Ｓ１１）。そして、取出口制御部２０が入力された暗証番号を取得し、その暗証番号を暗証番号記憶部１７に記憶されている暗証番号と照合する（Ｓ１２）。そして、一致する暗証番号が記憶されていなければ（Ｓ１３でＮ）、暗証番号の再入力を求める（Ｓ１４）。
それに対して、照合が取れれば（Ｓ１３でＹ）、取出口制御部２０はその暗証番号に対応づけられたトレイ番号を取得し、そのトレイ番号の排紙トレイの取出口を開放する（Ｓ１５）。
なお、暗証番号とともにトレイ番号も入力させ、両方の照合が取れたときにそのトレイ番号の排紙トレイの取出口を開放するようにしてもよい。
【００１１】
次に、図５により、料金算出の動作フローを説明する。
まず、課金処理部２１が暗証番号記憶部１７から当該暗証番号またはトレイ番号に対応付けられた印刷完了予定時刻と印刷完了時刻を取得し、２つの時刻を比較する（Ｓ２１）。そして、印刷完了時刻のほうが遅いか否かを判定し（Ｓ２２）、印刷完了時刻のほうが遅ければ（Ｓ２２でＹ）、印刷完了時刻を印刷物保管開始時刻とする（Ｓ２３）。それに対して、印刷完了予定時刻のほうが遅ければ（Ｓ２２でＮ）、印刷完了予定時刻を印刷物保管開始時刻とする（Ｓ２３）。印刷が予定時刻よりも早く完了する一方、利用者が通知された印刷完了予定時刻に合わせて当該印刷装置３の設置場所にやってきて実際の排紙トレイ占有時間が長くなった場合、それはシステム側（つまり課金側）の責任であるから、印刷完了予定時刻と印刷完了時刻で遅いほうの時刻を基準にして、印刷物が入った排紙トレイを開くまでの時間を排紙トレイ占有時間として算出し、その占有時間を基に排紙トレイ占有料金を課金するのである。
この後、課金処理部２１は当該排紙トレイの取出口が開放されるのを待ち（Ｓ２５でＮ→Ｓ２５）、開放されたならば（Ｓ２５でＹ）、印刷物保管開始時刻から取出口開放時刻までの時間を排紙トレイ占有時間とする（Ｓ２６）。課金処理部２１はこの排紙トレイ占有時間を記憶し（Ｓ２７）、この排紙トレイ占有時間を基に排紙トレイ占有料金を算出する（Ｓ２８）。
なお、前記においては、入力された暗証番号などを照合して一致している場合に排紙トレイの取出口を開放したが、さらに、排紙トレイ占有料金が支払われたことを確認して排紙トレイの取出口を開放するようにしてもよい。この場合、排紙トレイ占有時間は印刷物保管開始時刻から暗証番号の照合完了時までとする。このような構成では、支払いを確実に行わせることができる。
こうして、この実施例によれば、印刷物が本人以外の者に晒されないので、印刷物の機密性を保持することができる。また、利用者は従来技術のように出力させるタイミングを気にする必要がないし、印刷完了まで待たされることもない。
【図面の簡単な説明】
【００１２】
【図１】本発明の実施の形態に係る印刷システムの構成図である。
【図２】本実施の形態に係る印刷装置の構成を示したブロック図である。
【図３】本実施の形態に係る印刷装置要部の動作フロー図である。
【図４】本実施の形態に係る印刷装置要部の他の動作フロー図である。
【図５】本実施の形態に係る印刷装置要部の他の動作フロー図である。
【符号の説明】
【００１３】
１  携帯情報端末装置、２  中継情報処理装置、３  印刷装置、１１  排紙トレイ、１２  印刷要求受信部、１５  排紙トレイ決定部、１６  暗証番号割り付け部、１７  暗証番号記憶部、１８  送信部、１９  暗証番号入力部、２０  取出口制御部、２１  課金処理部、２２  時計回路
【図１】
2006035531.tif 000003
【図２】
2006035531.tif 000004
【図３】
2006035531.tif 000005
【図４】
2006035531.tif 000006
【図５】
2006035531.tif 000007